(57)【要約】キーチャンネル（２２）及びばね付勢されたタンブラー（２０、２０´）を備えたシリンダコア（２）がハウジングの内側筒状キャビティ内にある、ハウジング（２）を備え、適切なキーがキーチャンネル（２２）内に完全に挿入されていない時、タンブラー（２０、２０´）のブロック突出部（２０１）は、シリンダコア（２）がその中で回転するために支持されている部材の中に形成されているブロック溝部（１３、１３´）内に突出しており、適切なキーがキーチャンネル内に完全に挿入されている時、タンブラー（２０、２０´）のブロック突出部（２０１）は、シリンダコアの周縁を越えず、シリンダロックには、シリンダコアが適切なキーによって回転させられる時にシリンダコア（２）とシリンダロックの出力部材（３）を連結し、かつシリンダコアが不適切なキーによって回転させられる又は強制的に回転させられる時にシリンダロックの出力部材（３）からシリンダコア（２）を取り外す手段がさらに設けられており、このシリンダロックの本質は、ハウジング（１）の筒状内側キャビティには、回転可能な環状溝部（１１）が設けられており、シリンダコア（２）の出力部材（３）からの取り外しの軸線方向移動の方向と反対である、軸線側において、隣接する回転可能な溝部（１１）を区画する少なくとも一つのリブ（１２）は、少なくとも一つのブロック溝部（１３）によって遮断されており、その一方で、ブロック溝部の側面（１３０、１３１）は、シリンダコア（３）の出力部材（３）からの取り外し軸線方向移動の方向（ｏ）において逸れているということにある、特に自動車用のシリンダロック。
2004529282.tif 000002
【特許請求の範囲】
【請求項１】
キーチャンネル及びばね付勢されたタンブラーを備えたシリンダコアがハウジングの内側筒状キャビティ内にある、ハウジングを備え、適切なキーが前記キーチャンネル内に完全に挿入されていない時、前記タンブラーのブロック突出部は、前記シリンダコアがその中で回転するために支持されている部材の中に形成されているブロック溝部内に突出しており、適切なキーが前記キーチャンネル内に完全に挿入されている時、前記タンブラーの前記ブロック突出部は、前記シリンダコアの周縁を越えず、前記シリンダロックには、前記シリンダコアが前記適切なキーによって回転させられる時に前記シリンダコアと前記シリンダロックの出力部材を連結し、かつ前記シリンダコアが不適切なキーによって回転させられる又は異物によって強制的に回転させられる時に前記シリンダロックの前記出力部材から前記シリンダコアを取り外す手段がさらに設けられている、特に自動車用のシリンダロックにおいて、
前記ハウジング（１）の前記筒状内側キャビティには、回転可能な環状溝部（１１）が設けられており、前記シリンダコア（２）の前記出力部材（３）からの取り外しの軸線方向移動の方向と反対である、前記軸線側において、前記隣接する回転可能な溝部（１１）を区画する少なくとも一つのリブ（１２）は、少なくとも一つのブロック溝部（１３）によって遮断されており、その一方で、ブロック溝部の側面（１３０、１３１）は、前記シリンダコア（３）の前記出力部材（３）からの取り外し軸線方向移動の方向（ｏ）において逸れている、特に自動車用のシリンダロック。
【請求項２】
前記ハウジング（１）は、互いに強固に接続されている二つのハウジング半分部（１´、１´´）で構成されていることを特徴とする請求項１に記載のシリンダロック。
【請求項３】
前記ハウジング（１）の前記内側筒状キャビティには、少なくとも一つの支持リング溝部（１５１、１５２）が設けられており、前記筒状コア（２）の外側襟部（２５１、２５２）が軸線方向公差（ａ）をもって前記溝部内に受容されており、前記軸線方向公差（ａ）は、少なくとも、前記カップリング（３０）の取り外しに必要な前記軸線方向移動の距離（ｂ）に対応することを特徴とする請求項１又は２に記載のシリンダロック。
【請求項４】
一対のタンブラー（２０、２０´）のための前記ブロック溝部（１３）は、互いに関して１８０°で前記ハウジング（１）内で配置されていることを特徴とする請求項１又は２に記載のシリンダロック。
【請求項５】
前記ブロック溝部の側面（１３０、１３１）は、同じ鋭角（β）で前記ブロック溝部（１３）の対称面と包囲する平坦な側面によって構成されていることを特徴とする請求項１又は２に記載のシリンダロック。
【請求項６】
前記シリンダコア（２）の軸線方向延長部（２３）には、前記シリンダコア（２）の前記軸線方向延長部（２３）の第二連結要素（２３１）と係合されている時に前記伴出部材（３１）の第一連結要素（３０１）の位置を明白に決定する第一軸線方向当接部（２５）が設けられており、前記シリンダコア（２）には、前記軸線方向延長部（２３）の前記第二連結要素（２３１）と係合していない時に前記伴出部材（３１）の前記第一連結要素（３０１）の位置を明白に決定する第二軸線方向当接部（２６）が設けられていることを特徴とする請求項１〜５のいずれか１項に記載のシリンダロック。
【請求項７】
前記第二連結要素（２３１）は、第一半径方向凹所（２７１）と、前記軸線方向延長部（２３）上で設けられている環状襟部（２７）内に形成されている、対向して位置する第二半径方向凹所（２７２）とによって構成されており、前記環状襟部（２７）と前記シリンダコア（２）の内側偏倚面（２４）との間において、環状溝部（２８）が形成されており、前記内側偏倚面（２４）に面する前記環状溝部（２８）の第一環状側面（２８１）は、前記第二軸線方向当接部（２６）を構成し、前記第一連結要素（３０１）は、前記伴出部材（３１）の複数の内側半径方向突出部（３０１´）によって構成されていることを特徴とする請求項６に記載のシリンダロック。
【請求項８】
少なくとも前記環状襟部（２３）の背後における、前記軸線方向延長部（２３）の直径（Ｄ２）は、前記環状溝部（２８）の底部の直径（Ｄ１）よりも大きく、前記伴出部材（３１）の前記半径方向突出部（３０１´）の凹状端面（３１３）は、前記環状溝部（２８）の前記底部と接触し、前記出力部材（３）に面する第二環状溝の側面（２８２）は、前記第一軸線方向当接部（２５）を構成し、その一方で、前記第二半径方向凹所（２７２）は、前記環状溝部（２８）の前記底部の下において前記軸線方向延長部（２３）内に凹んでおり、かつ前記第一環状溝部の側面（２８１）における一方側から終わっており、前記凹所（２７２）が反対方向に第二摺動溝部（２３３）内に合併する一方、前記第二摺動溝部（２３３）の底部は、最大で、前記環状溝部（２８）の底部の直径（Ｄ１）と等しい距離（Ｌ）だけ、前記軸線方向延長部（２３）の、反対に位置する面から離間していることを特徴とする請求項７に記載のシリンダロック。
【請求項９】
前記環状襟部（２７）の背後における前記軸線方向延長部（２３）の直径（Ｄ２）は、前記環状溝部（２８）の直径（Ｄ１）と等しいかそれよりも小さく、前記第一軸線方向当接部（２５）は、いかなる公差なく前記環状襟部の背後における前記軸線方向延長部（２３）上に配置されている、留めディスク又は止め部材又はナットの端面によって構成されていることを特徴とする請求項７に記載のシリンダロック。
【請求項１０】
戻しばね（４）は、前記軸線方向延長部（２３）の止まり孔（２３２）内に収容されていることを特徴とする請求項７に記載のシリンダロック。
【発明の詳細な説明】
【技術分野】
【０００１】
本発明は、キーチャンネル及びばね付勢タンブラーを備えた、シリンダブロックのシリンダコアが、シリンダコアが適切なキーによって回転させられる時に、軸継ぎ手によって出力部材と連結され、かつシリンダコアが不適切なキーによって又は異物によって強制的に回転させられる時に出力部材から外される、特に自動車用のシリンダブロックに関する。シリンダコアの認可されていない回転の間、シリンダロックの出力部材との連結を外し、ドアロックラッチに何ら影響を与えることなく、シリンダロックのシリンダコアを回転させることができ、シリンダロックの出力部材が機械的にドアロックラッチと連結される。
【背景技術】
【０００２】
特に自動車用のこの種のシリンダブロックは、すでに公知である。前述のシリンダコアの出力部材との連結又は取り外しは、大抵の場合、軸線方向の移動の第一端位置において、シリンダロックの出力部材をシリンダコアと接続し、かつ軸線方向の移動の第二端位置において、シリンダロックの出力部材をシリンダコアから取り外す、軸継ぎ手によって実現される。
【０００３】
この種のシリンダロックの構成は、例えば、公開された独国特許出願第４３１６２２３号及び独国特許出願第１９６０４３５０号において公知である。これら特許出願の各々において、軸線方向において移動可能なケージは、ハウジングの筒状内側キャビティ内で回転可能に支持されており、その一方で、キーチャンネル及びばね付勢されたタンブラーが設けられているシリンダコアは、ケージの筒状中空空間部内に支持されている。適切なキーがキーチャンネル内に完全に導入されていない場合、タンブラーのブロック突出部は、シリンダコアの外周を越えて突出し、ケージのブロック溝部内で係合する。なお、これらの状況の下で、シリンダコアは、共に回転するためにケージと接続されており、シリンダコアが回転させられる時、ケージは、同時に、ハウジング内でシリンダコアと共に回転させられる。ケージの外側端面には、ハウジングの端突出部の対応の移動止め部と係合する持ち上げプロファイルを備えた移動止め部が設けられているので、ケージの回転中、ケージの軸線方向移動の結果として、ハウジングに関して位置が変わる。この軸線方向移動の間、シリンダロックの出力部材を同時に構成する、軸線方向に移動可能なカップリングは、シリンダコアとの係合が外れる。その結果、シリンダコアと出力部材の間の運動学的接続が停止し、後で、ドアロックのラッチに作用することなく、シリンダコアを回転させることができる。
【０００４】
これら及び同様な構成の不利な点は、回転可能で軸線方向に移動可能なケージの使用は、シリンダコアとシリンダロックのハウジングとの間でいかなるさらなる安全要素、例えば、シリンダコアのハウジングからの取り出し又はハウジングへの衝撃付与に対する任意の保護手段の提供を防ぐ及び／又はかなりより高価にするという点である。
【０００５】
軸線方向に移動しうる環状カップリングは、独国特許第４４１０７８３号から公知であり、このカップリングは、その内側端部において、シリンダコアの軸線方向延長部上に設けられている連結突出部との連結のための伴出凹所が設けられており、シリンダロックのハウジング内に形成されている拘束凹所との係合に役立つ、拘束突出部を外側端部において有する。この軸線方向に移動可能な環状カップリングは、シリンダロックの出力部材との永久的な回転方向固定の接続であり、その一方で、カップリングは、前述の拘束突出部によって、シリンダコアから、連結されていない状態において、拘束凹所内に係合し、その結果、シリンダロックの出力部材は、その位置に拘束されている。この軸線方向に移動可能な環状カップリングのシリンダコアからの取り外しは、シリンダロックのハウジング内に回転可能に取り付けられておりかつ持ち上げプロファイルを備えたケージの端面上に形成されている移動止め部によって実現される。移動止め部は、強制的な又は認可されていない回転時に、それと共に共同で回転するためにシリンダコアに伴出される。前述の持ち上げプロファイルは、反対方向において作用するらせんばねの力に抗して、シリンダコアとの接続から、軸線方向に移動しうるカップリングを移し、シリンダロックのハウジング内に設けられている拘束凹所との回転方向固定の係合接続へカップリングを移す。
【０００６】
シリンダロックをこじ開ける努力の後、適切なキーを用いてシリンダロックを再び開けることが望まれる時、シリンダロックは、ケージと共に共同で、ケージの端面において、また、環状カップリングの面する端面において設けられている、移動止め部と、関連の移動止めの対応部の相対位置が、前述の軸線方向らせんばねの助けによって、軸線方向の戻り移動が可能とする、シリンダコアの最初の位置へ回転させなければならない。その結果、ハウジングから取り外されるだけでなく、それと共に共同で回転するためのシリンダコアとカップリングを接続する。
【発明の開示】
【発明が解決しようとする課題】
【０００７】
この軸線方向に移動しうるカップリングの不利な点は、その複雑で、製造の観点から、厳しい、シリンダロックのハウジング内の軸線方向の案内であり、また、軸線方向の移動のために移動止め部を備えたケージを利用する必要があり、シリンダコアと係合しているカップリングの軸線方向の戻り移動のために、信頼性の少ないばね要素の使用である。
【課題を解決するための手段】
【０００８】
前述の不利な点は、特に自動車用のシリンダロックによって本質的に回避され、独立した請求項の前文によれば、この請求項の本質は、ハウジングの筒状内側キャビティには、回転可能な環状溝部が設けられており、シリンダコアの軸線方向の移動方向と反対にある、軸線方向側において、隣接した溝部を区画形成する少なくとも一つのリブは、少なくとも一つのブロック凹所によって遮断され、この軸線方向移動の間、シリンダコアと出力部材の間に介挿されているカップリングが取り外され、その一方、ブロック凹所の側面は、シリンダコアの軸線方向移動の方向において逸れており、この軸線方向移動の間、シリンダコアと出力部材の間のカップリングが取り外されるということである。
【０００９】
この構成の結果、シリンダコアとハウジングの間に介挿されたケージを使用することなく、シリンダコアとシリンダロックの出力部材との間におけるカップリングが分離され、それにより、シリンダコアのハウジングからの取り出し又はハウジングへの衝撃付与に対する安全手段を具体化する、シリンダコア上及びハウジング上のフォーメーションの構成が可能となる。
【００１０】
ハウジングが、互いに強固に接続された二つのハウジング半分部によって構成されると有利である。この構成により、製造の観点から簡単な方法で、回転可能な環状溝部と、ハウジングの筒状内側キャビティ内に位置するリブ内のブロック溝部の製造することができるだけでなく、シリンダロックの簡単な据え付けも可能となる。
【００１１】
本発明の筒状内側キャビティには、少なくとも一つの環状支持溝部を備えており、この溝部の中に、軸線方向の公差をもって、シリンダコアの環状外側襟部が受容され、この軸線方向公差は、少なくとも、カップリングの取り外しに要求される軸線方向の範囲に対応すると有利である。このような構成は、本質的に、シリンダコアのハウジングからの取り出し又はハウジングへの強制的な衝撃付与を防ぐ。
【００１２】
ハウジング内の対の保持構成のブロック凹所は、互いに関して１８０°で分布されていると有利である。このような構成により、シリンダロックの製造をより簡単にし、十分な数のロックの組み合わせを可能にする。
【００１３】
ブロック凹所の二つの側面がブロック溝部の対称面と共に同じ鋭角（β）で包囲する平坦な側面によって構成されていると有利である。このような構成により、製造技術を簡単化するだけでなく、ブロック凹所の傾斜した側面上の保持構成の問題ない摺動を保証する。
【００１４】
シリンダコアの軸線方向延長部の第二連結要素と係合している時に伴出部材の第一連結要素の位置を明白に決定する第一軸線方向当接部が、シリンダコアの軸線方向延長部には設けられており、シリンダコアの軸線方向延長部の第二連結要素から外れている時に伴出部材の第一連結要素の位置を明白に決定する第二軸線方向が、シリンダコアには設けられていると有利である。この構成により、製造の観点から簡単である、ハウジング内の伴出部材の取り付けが可能となり、シリンダロックの最小数の構成部分を用いつつ、シリンダコアとの係合と、ハウジングとの係合の両方において、確実な軸線方向の移動が可能となる。
【００１５】
第二連結要素が、第一半径方向凹所と、軸線方向の延長部上において環状襟部内に形成されている、反対に位置する半径方向凹所とによって構成され、環状溝部が、環状襟部とシリンダコアの内側偏倚面の間において形成されており、内側偏倚面に面する、環状溝部の第一環状側面は、第二軸線方向当接部を構成し、第一連結要素は、伴出部材の内側半径方向突出部によって構成されている。この構成によると、最小長さのシリンダコアと、連結要素の相互係合への移動又は相互係合から外れる移動の最小長さの両方が実現される。
【００１６】
少なくとも環状襟部の背後における軸線方向延長部の直径が環状溝部の底部の直径よりも大きく、半径方向突出部の凹状端面が環状溝部の底部と接触し、第一半径方向凹所は、少なくとも環状溝部の底部へ軸線方向延長部において凹んでおり、出力部材に面する第二環状溝部の側面は、第一軸線方向当接部を構成し、その一方で、第二半径方向凹所は、環状溝部の底部の下において軸線方向延長部内へ凹んでおり、第一環状溝部の側面において、一方側から終わっており、その一方で、この凹所は、第二摺動溝部内へ反対方向に合併し、溝部の底部は、環状溝部の底部の直径（Ｄ１）と等しい距離（Ｌ）だけ、軸線方向延長部の反対に位置する面から最小で分離されると有利である。この構成要素により、シリンダロックの構成部分の数を最小に減らすだけでなく、成形処理によってシリンダコアの製造を簡単にすることができる。
【００１７】
環状襟部の背後における軸線方向延長部の直径（Ｄ２）は、環状溝部の底部の直径と等しい又はそれより小さく、第一軸線方向当接部は、いかなる公差なく、環状襟部の背後における軸線方向延長部上に配置されている、留めディスク又は止め部材又はナットの端面によって構成されていると有利である。この構成は、材料除去技術を用いてシリンダコアの製造により有利である。
【００１８】
戻しばねが、軸線方向延長部において設けられる軸線方向止め孔内に収納されていると有利である。この構成により、シリンダロックの長さをさらに減らしうる。
【００１９】
添付図面において、本発明の実施例のいくつかの例を示している。
【発明を実施するための最良の形態】
【００２０】
添付図面の図１〜７においてシリンダブロック１８の代替案Ｉを示し、図８〜１８においてシリンダブロック１８の代替案ＩＩを示している。二つの代替案Ｉ、ＩＩは、カップリング３０、伴出部材３１及び戻しばね４、４´の構造上の実施によって、互いに異なっている。
【００２１】
添付図面において認められるように、シリンダロックは、互いに強固に接続された二つのハウジング半分部１´、１´´で構成されているハウジング１を有する。二つのハウジング半分部１´、１´´の分離面１４は、ブロック溝部１３、１３´の対称面Ｑと同じである。図１及び３において認められるように、キーチャンネル２２と、コンパートメント２１内で支持されているタンブラー２０、２０´とを備えたシリンダコア２が、ハウジング１の筒状キャビティ内に受容されている。タンブラー２０、２０´はばね付勢されており、適切なキーがキーチャンネル２２内に完全に挿入される時、タンブラー２０、２０´のブロック突出部２０１は、シリンダコア２の外周を越えて延びており、ハウジング１の分離面１４に沿って、対称的に、ハウジング１の内側筒状キャビティ内に設けられている複数のリブ１２内に形成されているブロック溝部１３、１３´内に突出している。タンブラー２０のブロック突出部２０１はブロック溝部１３内に突出しており、タンブラー２０と反対方向におけるばね力の影響の下で移されたタンブラー２０´のブロック突出部２０１´は、ブロック溝部１３´内に突出している。ブロック溝部１３、１３´は、リブ１２の端面において形成されている、ブロック溝部の側面１３０、１３１によって区画されている。ブロック溝部の側面１３０、１３１は、ブロック溝部１３の長手方向対称面Ｑと共に、鋭角βを包囲している。適切なキーが完全に挿入されることなく又は粗暴な力でシリンダコア２を回転させられようとする時、タンブラー２０、２０´の側面２０１、２０１´が前述のブロック溝部の側面１３０、１３１と接触する。適切なキーがキーチャンネル２２内に完全に挿入される時、タンブラー２０、２０´のブロック突出部２０１、２０１´がシリンダコア２の外周を越えないように、タンブラー２０、２０´が配置されるようになり、ハウジング１内でシリンダコア２を自由に回転させることができる。適切なキーを用いてシリンダコア２を回転させている間、この機能的な状態でカップリング３０によってシリンダコア２と連結されている、シリンダロックの出力部材３も、シリンダコア２と共に共同で回転させられる。代替案Ｉにおいて、カップリング３０は、軸線方向延長部２３上に設けられている第二連結要素２３１と、軸線方向に固定の伴出部材３１上に設けられている第一連結要素３０１とで構成されている。この伴出部材３１は、ハウジング１の筒状キャビティ内で回転可能にその外周で支持されており、シリンダロックの出力部材３と永久に回転方向固定に接続している。当然、別の構成のカップリング３０としては、例えば、軸線方向延長部２３の第二連結要素２３１が、軸線方向に移動不能の出力部材３上に設けられている第一連結要素３０１と直接的に係合するものが考えられうる。シリンダロックの出力部材３は、図示しないドアロックラッチと機械的に接続されている。
【００２２】
不適切なキーがキーチャンネル２２内に挿入される時、又は、タンブラー２０、２０´が外方向に移されていながら、シリンダコア２が強制的に回転させられようとする時、シリンダコア２は反時計回りに回転させられると、ブロック突出部２０１、２０１´の側面はブロック溝部１３、１３´のブロック溝部の側面１３０と接触し（図３及び５参照）、シリンダコア２が時計回りに回転させられると、ブロック突出部２０１、２０１´の側面は、ブロック溝部の側面１３１と係合する。ブロック溝部の側面１３０、１３１が、シリンダコア２の取り外す軸線方向移動の方向ｏにおいて逸れかつブロック溝部１３、１３´の対称面Ｑと共に鋭角βを包囲する、傾斜した平坦な側面として構成される限り（図５及び６参照）、シリンダコア２の回転中、ブロック突出部２０１、２０１´の側面がブロック溝部の側面１３０、１３１の傾斜側面に沿って摺動し、これらの軸線方向の移動は方向ｏである。その結果、シリンダコア２が軸線方向に移動し、タンブラー２０、２０´はシリンダコア２のコンパートメント２１内において方向ｏにおいても良好に支持されている。タンブラー２０、２０´の軸線方向の移動により、力Ｆ１（図５参照）を、ブロック溝部の側面１３０に直角に作用する力成分Ｆ３と、タンブラー２０、２０´の方向ｏにおいて軸線方向に移動させる第二力成分Ｆ２とに分解する。力Ｆ１は、強制的に開けようとしている間、シリンダコア２に加えられるトルクから生じる。
【００２３】
シリンダコア２が軸線方向に移動する時、第二連結要素２３１の長さに対応する移動距離のｂの範囲での移動中において（図２参照）、シリンダコア２の軸線方向の延長部２３上に設けられている第二連結要素２３１が伴出部材３１上に設けられている第一連結要素３０１から移る。第二連結要素２３１からの移動は、ディスクばねの形状で構成されている戻しばね４の力に抗しており、この移動は、カップリング３０が取り外されるまで、すなわち、ブロック突出部２０１が、ブロック溝部１３、１３´の傾斜したブロック溝部側面１３０、１３１から回転環状溝部１１（図４参照）へ摺動する時まで続く。この位置では、シリンダコア２とハウジング１の出力部材３との間のカップリング３０は、すでに取り外され、取り外しの途中におけるシリンダコア２のさらなる回転中において、回転環状溝部１１内でブロック突出部２０１、２０１´を案内することにより、シリンダコア２は、右端位置において保持されており、シリンダコア２の回転運動は、シリンダロックの出力部材３へ伝達されない。
【００２４】
回転環状溝部１１の側面は、リブ１２の側面によって構成されており、リブ１２の端面は、傾斜したブロック側面１３０、１３１を構成している。シリンダコア２を１８０°だけ回転させた後、タンブラー２０、２０´のブロック突出部２０１がブロック溝部１３、１３´と整列するようになる時、予め力を加えた戻しばね４の影響下で、シリンダコア２は軸線方向に左側の最初の位置へ戻り、シリンダコア２と出力部材３の間でカップリング３０の係合が繰り返される。シリンダロックの最初の位置において、再び、認可されたキーのキーチャンネル２２への完全な挿入の後にシリンダロックを開ける又は閉めることができる。
【００２５】
シリンダコア２が左側の最初の位置に位置しかつカップリング３０が係合されている、シリンダロックの閉鎖位置において（図１及び５参照）、シリンダコア２に設けられている第一外側襟部２５１は、回転環状溝部１１の左側面と接触し、回転環状溝部１１の右側面は、左側において第一回転環状溝部１１を区画形成しているリブ１２によって形成されている。シリンダコア２上で形成されている第二外側襟部２５２は、右側において最後の回転環状溝部１１を区画形成しているリブ１２の右側側面と接触している。二つの外側襟部２５１、２５２は、第二連結要素２３１が第一連結要素３０１から移るのに要求される軸線方向変位ｂと等しいかそれよりも大きな、横の軸線方向の公差をもって、留め溝部１５１、１５２内に受容されている。この位置において、外側襟部２５１、２５２は、シリンダコア２がシリンダロックのハウジングから引き出されるのを防いでいる。
【００２６】
シリンダコア２が右側端位置に位置しかつカップリング３０が取り外される、シリンダロックの回転位置において（図１及び５参照）、シリンダコア２の第一外側襟部２５１が第一リブの左側面と接触し、第二外側襟部２５２が、ハウジング１内に設けられている第二安全溝部１５２の右側面と接触する。この位置において、外側襟部２５１、２５２は、まず第一に、シリンダコア２がハウジング１内に衝撃を与えるのを防ぎ、第二に、シリンダコア２が図示しない抽出ねじに作用する軸線方向圧力によって右側回転位置へ移動させられて回転する限り、抽出ねじをシリンダコア２のキーチャンネル２２へねじ込むのを防ぎ、その結果、前述の抽出ねじのねじ込みが防がれる。
【００２７】
本発明の枠組みの中で、当然、ブロック溝部の側面１３０、１３１を平面以外に整形しうる。重要なことは、これら側面が、シリンダコア２の取り外し軸線方向移動の方向ｏにおいて逸れていなければならないということである。当然、シリンダロックに、シリンダコア２の右から左への取り外しの移動を提供することもできる。この場合、傾斜したブロック溝部の側面１３０、１３１は、反対に配向されており、不適切なキーで又は粗暴な力をかけて、回転させようとする間、シリンダコア２は、軸線方向に反対に移動させられる。さらに、戻しばね４はコイルばね又は別の弾性要素と交換しうる。
【００２８】
シリンダロックの代替案ＩＩの実施例が示されている、図８〜１８において認められるように、伴出部材３１は、その外周面で、回転移動又は軸線方向移動のために、ハウジング１の内側中空空間部内に支持されている。シリンダコア２の軸線方向延長部２３は、伴出部材３１を通過し、伴出凹所３１４は、シリンダロックの出力部材３の伴出突出部３１５と永久に回転方向固定に接続している。
【００２９】
適切なキーが完全に挿入されることなく又は粗暴な力を用いて、シリンダコア２を回転させようとする時、タンブラー２０のブロック突出部２０１が傾斜したブロック溝部の側面１３０、１３１に沿って摺動することにより、らせんばね形状に構成された戻しばね４の力に抗して、ハウジング１内のシリンダコア２を軸線方向に移動させる。この移動の第一段階の間、軸線方向延長部２３上のカップリング突出部の形態で形成されている第二連結要素２３１が、伴出部材３１内のカップリング凹所の形態で形成されている第一連結要素３０１から移り、さらに、第二軸線方向当接部２６を伴出部材３１と接触させる。その結果、カップリング３０が取り外され、シリンダコア２も出力部材３から取り外される。移動の第二段階の間、シリンダコア２の第二軸線方向当接部２６による伴出部材３１への圧力により、伴出部材３１がさらに移動し、その結果、ハウジング１と回転方向固定に接続される。この回転方向固定接続は、伴出部材３１の外側端面上に設けられている拘束突出部３１２を、シリンダロックのハウジング１内に形成されている拘束凹所１６を移動させる結果として形成されている。シリンダコア２の移動の第二段階の終わりにおいて、タンブラー２０のブロック突出部２０１を、回転環状溝部１１内に設けられているブロック溝部１３から移動させる結果、ハウジング１内にシリンダコア２を回転可能に取り付ける。この時、シリンダロックのシリンダコアが回転させられうるが、この回転移動は、カップリング３０を取り外した結果、この位置では、ハウジング１との回転方向固定接続している伴出部材３１へもはや伝達されない。伴出部材３１が出力部材３と永久に回転方向固定接続している限り、図示しない機械的伝達によって図示しないドアロックラッチと接続されている出力部材３を回転させることもできない。
【００３０】
完全に挿入された適切なキーが出力部材３と共にシリンダコア２を回転させうる、運転状態にシリンダロックをもたらすことが再び望まれる時、シリンダコア２を、角度位置、すなわち、タンブラー２０のブロック突出部２０１が回転環状溝部１１から後退させられてブロック溝部１３、１３´内に導入され、かつ戻しばね４がシリンダコア２を左側の最初の位置へ戻す位置へもたらすことが必要である。この最初の位置では、シリンダコア２は、カップリング３０によって、伴出部材３１と回転方向固定に接続されており、伴出部材３１は、ハウジング１から取り外される。
【００３１】
前述のシリンダコア２の戻りは、二段階で構成されている。第一段階中において、軸線方向の延長部２３の第二連結要素２３１が伴出部材３１の連結要素内へ移動し、同時に、シリンダコア２の第一軸線方向当接部２５が伴出部材３１と係合し、その結果、カップリング３０が係合する。第二段階中において、シリンダコア２の第一軸線方向当接部２５によって圧力を伴出部材３１へ及ぼす結果、伴出部材３１が強制で戻され、その結果、拘束突出部３１２が、ハウジング１内に設けられている拘束凹所１６から移る。
【００３２】
図３〜６において認められるように、シリンダコア２の軸線方向延長部２３は、シリンダコア２の内側端面２４内に設けられている偏倚部分から突出しており、延長部２３において、らせんばねの構成の戻しばね４を収容するための軸線方向止まり孔２３２が形成されている。予め力を加えられた戻しばね４は、シリンダコア２と出力部材３の間において配置されており、カップリング３０がシリンダコア２と伴出部材３１の間で係合されている、最初の位置へシリンダコア２を付勢する。
【００３３】
軸線方向延長部２３において、環状襟部２７が設けられており、この襟部２７において、第一半径方向凹所２７１と、この凹所２７１の反対において、第二半径方向凹所２７２とが形成されている。二つの半径方向凹所２７１、２７２は、第二連結要素２３１を構成し、半径方向突出部３０１´で構成されている伴出部材３１の第一連結要素３０１が、カップリング３０が係合される時、第二連結要素２３１の中に延びている。環状襟部２７とシリンダコア２の内側端面２４との間において、環状溝部２８が形成されており、シリンダコア２に面する溝部２８の側面２８１は、伴出部材３１のための第二軸線方向当接部２６を構成する。図１０及び１３において最もよく見られるように、第一半径方向凹所２７１は、環状襟部２７内において形成されており、かつ少なくとも環状溝部２８の底部のレベルまで、半径方向に軸線方向延長部２３内へ延びており、この溝部２８の底部のレベルにおいて、出力部材３に面する第一半径方向凹所２７１の第一側面は、伴出部材３１のためのシリンダコア２の第一軸線方向当接部２５を構成する。第一半径方向凹所２７１の第二側面は、環状溝部の側面２８１の平面内にあり、シリンダコア２の第二軸線方向当接部２６を構成する。第二半径方向凹所２７２は、第一半径方向凹所２７１の反対において、環状襟部２７内に形成されており、環状溝部２８の底部のレベルの下において、半径方向に軸線方向延長部２３内へ延びている。シリンダコア２の内側軸線方向端面２４に面する側面は、出力部材３に面する第二環状溝部の側面２８２の平面内にある。換言すると、第二半径方向凹所２７２は、環状溝部２８の底部へ延びず、一軸線方向において正確に環状溝部２８及び環状襟部２７の境界において終わっており、その一方で、それは、第二軸線方向において、伴出部材３の半径方向突出部３０１´がシリンダコア２の軸線方向延長部２５へ摺動するために設けられている第二摺動溝部２３３内へ合併する。
【００３４】
カップリング３０が係合する時、第一連結要素３０１を構成する伴出部材３１の半径方向突出部３０１´は、それらの側面によって、第二連結要素２３１を構成する環状襟部２７内に設けられている第一及び第二半径方向凹所２７１、２７２と接触し、伴出部材３１は、その筒状外周面によって、ハウジング１の筒状中空空間部内で半径方向及び軸線方向に案内される。
【００３５】
図１４〜１６及び１８において認められるように、伴出部材３１は、筒状外周面を有するリングとして整形されており、出力部材３に面するその端面において、ハウジング１内に設けられている拘束凹所１６と係合することが意図されている拘束突出部３１２が、出力部材３の突出部３１５を伴出するための伴出凹所３１４と共に形成されている。伴出部材３１の反対の端面において、内側端リング３１０が形成されており、凹状端面３１３を有する半径方向突出部３０１´の形態の第一連結要素３０１が内側端リング３１０から突出している。凹状端面３１３は、カップリング３０が取り外される時、環状溝部２８の底部と接触し、内側半径方向突出部３０１´は、シリンダコア２の認可されていない回転時に回転する。二つの凹状端面３１３の間の分離が、環状襟部２７の背後における軸線方向延長部２３の直径Ｄ２よりも小さい、環状溝部２８の底部の直径に対応する限り、軸線方向延長部２３には、第二半径方向凹所２７２に隣接する第二摺動溝部２３３と、反対に位置する第一摺動溝部２３３´とが設けられている。第二摺動溝部２３３の底部は、軸線方向延長部２３の反対に位置する面から、又は、最大で環状溝部２８の底部の直径Ｄ１と等しい距離Ｌだけ、反対に位置する第一摺動溝部２３３´の底部から分離されており、シリンダロックの組み立て中において、伴出部材３１の内側半径方向突出部３０１´を軸線方向延長部２３上で滑らせることができる。
【００３６】
前述の実施例は、射出成形によってシリンダコア２、伴出部材３１及びハウジング１を簡単に製造することができるだけでなく、シリンダロックの構成部分の数を減らすこともできる。当然、本発明の枠組みの中で、例えば、環状襟部２７の背後に位置する安全溝部内に取り付けられた安全リングの端面、又は軸線方向延長部２３に固定された当接部、又は軸線方向延長部２３にねじ込まれているねじ付きナットの端面などの他の手段によって、第一軸線方向当接部２５を軸線方向延長部２３上に提供することもできる。
【００３７】
本発明によるシリンダロックは、認可されていない強制的な操作の後ですらそのロック機能を保持する必要があり、かつ例えば自動車などにおける、シリンダコアをハウジングから及び／又はハウジング内への取り出し及び及び／又は衝撃付与に対して高い抵抗力がある、全ての用途において使用することができる。
【図面の簡単な説明】
【００３８】
【図１】代替案Ｉの、係合されたカップリングを有する、シリンダロックの分離面（図３の断面Ｂ−Ｂ）の長手断面図である。
【図２】代替案Ｉの、取り外されたカップリングを有する、シリンダロックの分離面（図４の断面Ｈ−Ｈ）の長手断面図である。
【図３】方向Ｓにおける図１のＡ−Ａ断面図である。
【図４】方向Ｓにおける図２のＦ−Ｆ断面図である。
【図５】タンブラーを有するシリンダロックの正面部の図３のＤ−Ｄ断面図である。
【図６】タンブラーを有するシリンダロックの正面部の図４のＧ−Ｇ断面図である。
【図７】代替案Ｉによる、取り外されたシリンダロックの本質部分の斜視図である。
【図８】代替案ＩＩによる、係合されたシリンダロックの長手断面図である。
【図９】代替案ＩＩによる、取り外されたシリンダロックの長手断面図である。
【図１０】軸線方向延長部の長手断面図である。
【図１１】図１０の軸線方向延長部の平面図である。
【図１２】図１１のＫ−Ｋ断面図である。
【図１３】方向Ｖにおける図４の軸線方向延長部の図である。
【図１４】図１５の伴出部材のＬ−Ｌ断面図である。
【図１５】伴出部材の側面図である。
【図１６】方向Ｗにおける図１４の伴出部材の図である。
【図１７】伴出部材の斜視図である。
【図１８】代替案ＩＩによる取り外されたシリンダロックの斜視図である。
【符号の説明】
【００３９】
１…ハウジング
１´…ハウジング半分部
１´´…ハウジング半分部
１１…回転環状溝部
１２…リブ
１３…ブロック溝部
１３´…ブロック溝部
１３０…ブロック溝部の側面
１３０´…ブロック溝部の側面
１４…分離面
１５１…第一留め溝部
１５２…第二留め溝部
１６…拘束凹所
２…シリンダコア
２０…タンブラー
２０´…タンブラー
２０１…ブロック突出部
２１…コンパートメント
２２…キーチャンネル
２３…軸線方向延長部
２３１…第二連結要素
２３２…軸線方向止め孔
２３３…第二摺動溝部
２３３´…第一摺動溝部
２４…内側端部
２５…第一軸線方向当接部
２５１…第一外側襟部
２５２…第二外側襟部
２６…第二軸線方向当接部
２７…環状襟部
２７１…第一半径方向凹所
２７２…第二半径方向凹所
２８…環状溝部
２８１…（シリンダコア２に面する）第一環状溝部の側面
２８２…（出力部材３に面する）第二環状溝部の側面
３…出力部材
３０…カップリング
３０１…第一連結要素
３０１´…半径方向突出部
３１…伴出部材
３１０…内側端面襟部
３１２…拘束突出部
３１３…（内側半径方向突出部の）凹状端面
３１４…伴出部材の凹所
３１５…伴出部材の突出部
４…戻しばね
４´…戻しばね
ａ…公差
ｂ…取り外し移動
ｏ…取り外し移動の方向
Ｑ…ブロック溝部１３の対称面
β…ブロック溝部の側面１３０、１３１と対称面Ｑの間の角度
Ｄ１…環状溝部の底部の直径
Ｄ２…軸線方向延長部２３の直径
Ｌ…摺動溝部の底部の相互距離
【国際公開パンフレット】
2004529282.tif 000003
2004529282.tif 000004
2004529282.tif 000005
2004529282.tif 000006
2004529282.tif 000007
2004529282.tif 000008
2004529282.tif 000009
2004529282.tif 000010
2004529282.tif 000011
2004529282.tif 000012
2004529282.tif 000013
2004529282.tif 000014
2004529282.tif 000015
2004529282.tif 000016
2004529282.tif 000017
2004529282.tif 000018
2004529282.tif 000019
2004529282.tif 000020
2004529282.tif 000021
2004529282.tif 000022
2004529282.tif 000023
2004529282.tif 000024
2004529282.tif 000025
2004529282.tif 000026
2004529282.tif 000027
2004529282.tif 000028
2004529282.tif 000029
2004529282.tif 000030
【国際公開パンフレット（コレクトバージョン）】
2004529282.tif 000031
2004529282.tif 000032
【国際調査報告】
2004529282.tif 000033
2004529282.tif 000034
2004529282.tif 000035
2004529282.tif 000036